(57)【特許請求の範囲】
【請求項１】
第１のネットワーク上で所定の伝送周波数を持つ第１のデジタル放送信号を第２のネットワーク上で所定の伝送周波数を第２のデジタル放送信号に変換する信号処理装置であって、
上記第１のデジタル放送信号に周波数変換処理を施して第１のデジタル変調信号を得る第１の周波数変換手段と、
上記第１の周波数変換手段から供給される第１のデジタル変調信号を復調してデジタル放送データを得る復調手段と、
上記復調手段から供給されるデジタル放送データから伝送路に関する物理的な情報を持つネットワーク・インフォメーション・テーブルを検出するテーブル検出手段と、
上記テーブル検出手段で検出されたネットワーク・インフォメーション・テーブルより第１のネットワークに関する情報を分析する分析手段と、
上記分析手段により分析された第１のネットワークに関する情報を以前の第１のネットワークに関する情報と比較する比較手段と、
上記比較手段による比較結果として得られた第１のネットワークに関する情報に基づいて、上記第１のネットワークのネットワーク・インフォメーション・テーブルを上記第２のネットワークに適合するように変更するテーブル変更手段と、
上記復調手段から供給されるデジタル放送データのネットワーク・インフォメーション・テーブルを上記テーブル変更手段から供給されるネットワーク・インフォメーション・テーブルに置き換えるテーブル置き換え手段と、
上記テーブル置き換え手段でネットワーク・インフォメーション・テーブルが置き換えられたデジタル放送データを変調して第２のデジタル変調信号を得る変調手段と、
上記第２のデジタル変調信号を周波数変換して上記第２のデジタル放送信号を得る第２の周波数変換手段と
を備えることを特徴とする信号処理装置。
【請求項２】
上記テーブル変更手段は、上記比較手段による比較結果として得られた第１のネットワークに関する情報に基づいて、伝送されるトランスポート・ストリーム数が増加している場合に、増加した分のトランスポート・ストリームの情報を設定に反映させ、この設定をもとに上記第１のネットワークのネットワーク・インフォメーション・テーブルを上記第２のネットワークに適合するように変更することを特徴とする請求項１記載の信号処理装置。
【請求項３】
上記テーブル変更手段は、増加したトランスポート・ストリームの情報のうち、伝送周波数を第２のネットワークに対応した伝送周波数のうち未使用のものに割り当てるように設定の変更を行うことを特徴とする請求項２記載の信号処理装置。
【請求項４】
上記テーブル変更手段は、上記比較手段による比較結果として得られた第１のネットワークに関する情報に基づいて、伝送されるトランスポート・ストリーム数が増加している場合に、増加したトランスポート・ストリームの情報を第１のネットワークのネットワーク・インフォメーション・テーブルに含まないように、設定の変更を行うことを特徴とする請求項１記載の信号処理装置。
【請求項５】
上記テーブル変更手段は、上記比較手段による比較結果として得られた第１のネットワークに関する情報に基づいて、伝送されるトランスポート・ストリーム数が減少している場合に、減少した分のトランスポート・ストリームの情報を設定に反映させ、この設定をもとに上記第１のネットワークのネットワーク・インフォメーション・テーブルを上記第２のネットワークに適合するように変更することを特徴とする請求項１記載の信号処理装置。
【請求項６】
上記テーブル変更手段は、上記比較手段による比較結果として得られた第１のネットワークに関する情報に基づいて、あるトランスポンダ・ストリーム内のサービス情報が増加している場合に、増加した分のサービス情報を設定に反映させ、この設定をもとに上記第１のネットワークのネットワーク・インフォメーション・テーブルを上記第２のネットワークに適合するように変更することを特徴とする請求項１記載の信号処理装置。
【請求項７】
上記テーブル変更手段は、上記比較手段による比較結果として得られた第１のネットワークに関する情報に基づいて、あるトランスポンダ・ストリーム内のサービス情報が増加している場合に、増加した分のサービス情報を含まないように、上記第２のネットワークのネットワーク・インフォメーション・テーブルを変更することを特徴とする請求項１記載の信号処理装置。
【請求項８】
上記テーブル変更手段は、上記比較手段による比較結果として得られた第１のネットワークに関する情報に基づいて、あるトランスポンダ・ストリーム内のサービス情報が減少している場合に、減少した分のサービス情報を設定に反映させ、この設定をもとに上記第１のネットワークのネットワーク・インフォメーション・テーブルを上記第２のネットワークに適合するように変更することを特徴とする請求項１記載の信号処理装置。
【請求項９】
第１のネットワーク上で所定の伝送周波数を持つ第１のデジタル放送信号を第２のネットワーク上で所定の伝送周波数を第２のデジタル放送信号に変換する信号処理方法であって、
上記第１のデジタル放送信号に周波数変換処理を施して第１のデジタル変調信号を得る第１の周波数変換ステップと、
上記第１の周波数変換ステップで得られた第１のデジタル変調信号を復調してデジタル放送データを得る復調ステップと、
上記復調手段から供給されるデジタル放送データから伝送路に関する物理的な情報を持つネットワーク・インフォメーション・テーブルを検出するテーブル検出ステップと、
上記テーブル検出ステップで検出されたネットワーク・インフォメーション・テーブルより第１のネットワークに関する情報を分析する分析ステップと、
上記分析ステップで分析された第１のネットワークに関する情報を以前の第１のネットワークに関する情報と比較する比較ステップと、
上記比較ステップでの比較結果として得られた第１のネットワークに関する情報に基づいて、上記第１のネットワークのネットワーク・インフォメーション・テーブルを上記第２のネットワークに適合するように変更するテーブル変更ステップと、
上記復調ステップで得られたデジタル放送データのネットワーク・インフォメーション・テーブルを上記テーブル変更ステップで得られたネットワーク・インフォメーション・テーブルに置き換えるテーブル置き換えステップと、
上記テーブル置き換えステップでネットワーク・インフォメーション・テーブルが置き換えられたデジタル放送データを変調して第２のデジタル変調信号を得る変調ステップと、
上記第２のデジタル変調信号を周波数変換して上記第２のデジタル放送信号を得る第２の周波数変換ステップと
を有することを特徴とする信号処理方法。
【請求項１０】
上記テーブル変更ステップでは、上記比較ステップでの比較結果として得られた第１のネットワークに関する情報に基づいて、伝送されるトランスポート・ストリーム数が増加している場合に、増加した分のトランスポート・ストリームの情報を設定に反映させ、この設定をもとに上記第１のネットワークのネットワーク・インフォメーション・テーブルを上記第２のネットワークに適合するように変更することを特徴とする請求項９記載の信号処理方法。
【請求項１１】
上記テーブル変更ステップでは、増加したトランスポート・ストリームの情報のうち、伝送周波数を第２のネットワークに対応した伝送周波数のうち未使用のものに割り当てるように設定の変更を行うことを特徴とする請求項１０記載の信号処理方法。
【請求項１２】
上記テーブル変更ステップでは、上記比較ステップでの比較結果として得られた第１のネットワークに関する情報に基づいて、伝送されるトランスポート・ストリーム数が増加している場合に、増加したトランスポート・ストリームの情報を第１のネットワークのネットワーク・インフォメーション・テーブルに含まないように、設定の変更を行うことを特徴とする請求項９記載の信号処理方法。
【請求項１３】
上記テーブル変更ステップでは、上記比較ステップでの比較結果として得られた第１のネットワークに関する情報に基づいて、伝送されるトランスポート・ストリーム数が減少している場合に、減少した分のトランスポート・ストリームの情報を設定に反映させ、この設定をもとに上記第１のネットワークのネットワーク・インフォメーション・テーブルを上記第２のネットワークに適合するように変更することを特徴とする請求項９記載の信号処理方法。
【請求項１４】
上記テーブル変更ステップでは、上記比較ステップでの比較結果として得られた第１のネットワークに関する情報に基づいて、あるトランスポンダ・ストリーム内のサービス情報が増加している場合に、増加した分のサービス情報を設定に反映させ、この設定をもとに上記第１のネットワークのネットワーク・インフォメーション・テーブルを上記第２のネットワークに適合するように変更することを特徴とする請求項９記載の信号処理方法。
【請求項１５】
上記テーブル変更ステップでは、上記比較ステップでの比較結果として得られた第１のネットワークに関する情報に基づいて、あるトランスポンダ・ストリーム内のサービス情報が増加している場合に、増加した分のサービス情報を含まないように、上記第２のネットワークのネットワーク・インフォメーション・テーブルを変更することを特徴とする請求項９記載の信号処理方法。
【請求項１６】
上記テーブル変更ステップでは、上記比較ステップでの比較結果として得られた第１のネットワークに関する情報に基づいて、あるトランスポンダ・ストリーム内のサービス情報が減少している場合に、減少した分のサービス情報を設定に反映させ、この設定をもとに上記第１のネットワークのネットワーク・インフォメーション・テーブルを上記第２のネットワークに適合するように変更することを特徴とする請求項９記載の信号処理方法。
【発明の詳細な説明】
【０００１】
【発明の属する技術分野】
この発明は、第１のネットワーク上で所定の伝送周波数を持つ第１のデジタル放送信号を第２のネットワーク上で所定の伝送周波数を第２のデジタル放送信号に変換する信号処理装置及び信号処理方法に関する。
【０００２】
【従来の技術】
従来より、例えばケーブルテレビ事業者が、衛星を介して供給されるデジタル多チャネル放送番組を受信し、自ら有するネットワークを利用して各家庭に配信する等、任意のネットワークで放送されているデジタル放送番組を他のネットワークで配信サービスすること行われている。
【０００３】
この場合、デジタル放送データは伝送路に関する物理的な情報を持つネットワーク・インフォメーション・テーブル(NIT: Network Information Table)を有していることから、変調変換送出装置等で変調方法を変換するだけでは、第１のネットワークで放送されているデジタル放送番組を第２のネットワークで配信サービスすることができず、さらにデジタル放送データのＮＩＴに含まれる伝送周波数情報等を第２のネットワークに適合させる必要がある。
【０００４】
なお、ＮＩＴには番組情報も含まれており、例えばケーブルテレビの伝送路に接続されるセット・トップ・ボックス(宅内受信装置)は、ＮＩＴを検出し、それに含まれる番組情報に基づいて所定の番組を受信するように構成される。
【０００５】
そこで、第１のネットワークにおけるデジタル放送データのＮＩＴを検出し、検出したＮＩＴを第２のネットワークに適合するように変更し、第１のネットワークにおけるデジタル放送データのＮＩＴを変更したＮＩＴに置き換えることにより、第２のネットワークにおけるデジタル放送データを得るようにしている。
【０００６】
【発明が解決しようとする課題】
ところで、任意のネットワークで放送されているデジタル放送番組を他のネットワークで配信サービスする場合、上述のように各ネットワークに対応するデジタル放送データのＮＩＴ内に記述されている内容は重要な意味を持っており、各ネットワークのそれぞれの物理的な情報や送信されるサービス情報などの対応関係に誤りがあると、適正な配信サービスを行うことができなくなってしまうので、第１のネットワークと第２のネットワークとの伝送周波数の対応や、第２のネットワークに配信するサービスなどを取り決めた設定情報に従って、第１のネットワークにおけるデジタル放送データのＮＩＴを第２のネットワークのＮＩＴに置き換えるようにしている。
【０００７】
しかし、第１のネットワークにおけるデジタル放送データ内容、すなわち、送信されるトランスポート・ストリームの数やサービスに変更があった場合、上記設定情報を再度作成しなければならない。
【０００８】
そこで、本発明の目的は、第１のネットワークでの変更を自動的に第２のネットワークに反映することができるようにした信号処理装置及び信号処理方法を提供することにある。
【０００９】
また、本発明の目的は、第１のネットワークから送信されるトランスポート・ストリームの数に変化があった場合に、これに自動的に対応することができるようにした信号処理装置及び信号処理方法を提供することにある。
【００１０】
さらに、本発明の目的は、第１のネットワークから送信されるデジタル放送データ内のサービス数に変化があった場合に、これに自動的に対応することができるようにした信号処理装置及び信号処理方法を提供することにある。
【００１１】
【課題を解決するための手段】
本発明は、第１のネットワーク上で所定の伝送周波数を持つ第１のデジタル放送信号を第２のネットワーク上で所定の伝送周波数を第２のデジタル放送信号に変換する信号処理装置であって、上記第１のデジタル放送信号に周波数変換処理を施して第１のデジタル変調信号を得る第１の周波数変換手段と、上記第１の周波数変換手段から供給される第１のデジタル変調信号を復調してデジタル放送データを得る復調手段と、上記復調手段から供給されるデジタル放送データから伝送路に関する物理的な情報を持つネットワーク・インフォメーション・テーブルを検出するテーブル検出手段と、上記テーブル検出手段で検出されたネットワーク・インフォメーション・テーブルより第１のネットワークに関する情報を分析する分析手段と、上記分析手段により分析された第１のネットワークに関する情報を以前の第１のネットワークに関する情報と比較する比較手段と、上記比較手段による比較結果として得られた第１のネットワークに関する情報に基づいて、上記第１のネットワークのネットワーク・インフォメーション・テーブルを上記第２のネットワークに適合するように変更するテーブル変更手段と、上記復調手段から供給されるデジタル放送データのネットワーク・インフォメーション・テーブルを上記テーブル変更手段から供給されるネットワーク・インフォメーション・テーブルに置き換えるテーブル置き換え手段と、上記テーブル置き換え手段でネットワーク・インフォメーション・テーブルが置き換えられたデジタル放送データを変調して第２のデジタル変調信号を得る変調手段と、上記第２のデジタル変調信号を周波数変換して上記第２のデジタル放送信号を得る第２の周波数変換手段とを備えることを特徴とする。
【００１２】
また、本発明は、第１のネットワーク上で所定の伝送周波数を持つ第１のデジタル放送信号を第２のネットワーク上で所定の伝送周波数を第２のデジタル放送信号に変換する信号処理方法であって、上記第１のデジタル放送信号に周波数変換処理を施して第１のデジタル変調信号を得る第１の周波数変換ステップと、上記第１の周波数変換ステップで得られた第１のデジタル変調信号を復調してデジタル放送データを得る復調ステップと、上記復調手段から供給されるデジタル放送データから伝送路に関する物理的な情報を持つネットワーク・インフォメーション・テーブルを検出するテーブル検出ステップと、上記テーブル検出ステップで検出されたネットワーク・インフォメーション・テーブルより第１のネットワークに関する情報を分析する分析ステップと、上記分析ステップで分析された第１のネットワークに関する情報を以前の第１のネットワークに関する情報と比較する比較ステップと、上記比較ステップでの比較結果として得られた第１のネットワークに関する情報に基づいて、上記第１のネットワークのネットワーク・インフォメーション・テーブルを上記第２のネットワークに適合するように変更するテーブル変更ステップと、上記復調ステップで得られたデジタル放送データのネットワーク・インフォメーション・テーブルを上記テーブル変更ステップで得られたネットワーク・インフォメーション・テーブルに置き換えるテーブル置き換えステップと、上記テーブル置き換えステップでネットワーク・インフォメーション・テーブルが置き換えられたデジタル放送データを変調して第２のデジタル変調信号を得る変調ステップと、上記第２のデジタル変調信号を周波数変換して上記第２のデジタル放送信号を得る第２の周波数変換ステップとを有することを特徴とする。
【００１３】
【発明の実施の形態】
以下、図面を参照しながら、この発明の実施の形態について説明する。
【００１４】
本発明は、例えば図１に示すような構成の衛星デジタル多チャネル放送を利用したデジタルＣＡＴＶ(cable television)システム１０に適用される。このＣＡＴＶシステム１０は、通信衛星２０の複数のトランスポンダ(衛星中継器)からのデジタル放送信号を受信するアンテナ１１と、この受信されたデジタル放送信号の伝送周波数や変調方式等を変更してＣＡＴＶ用のデジタル放送信号を生成して伝送路１３に送出する変調変換送出装置１２と、伝送路１３に接続される受信端末であるセット・トップ・ボックス(宅内受信装置)１４-1〜１４-mからなる。このＣＡＴＶシステム１０では、セット・トップ・ボックス１４-1〜１４-mで選択されたチャネル番号の画像がモニタ１５-1〜１５-mに表示される。
【００１５】
ここで、通信衛星２０より送られてくるデジタル放送信号について説明する。本実施の形態において、このデジタル放送信号は、ヨーロッパのデジタル放送基準であるＤＶＢ(Digital Video Broadcasting)システムに対応したものである。図２ＢはＤＶＢシステムにおけるデジタル放送データのフレーム構成を示しており、８個のＭＰＥＧ２トランスポートパケット(図２の(Ａ)参照)で１フレームが構成されている。この場合、パケット内の同期バイト(＝４７Ｈ)を用い、８パケットに１回同期バイトを反転(＝Ｂ８Ｈ)させてフレーム同期を得る構成となっている。なお、各ＭＰＥＧ２トランスポートパケット(ＭＰＥＧ２ＴＳパケット)には、リードソロモン(２０４，１８８)による誤り訂正符号が付加される。図２の(Ｂ)に示すデジタル放送データがＱＰＳＫ(Quadrature Phase Shift Keying) 変調され、その後に２７ＭＨｚに周波数変換されて通信衛星２０より送信されてくるデジタル放送信号となる。
【００１６】
図３は、ＭＰＥＧ２トランスポートパケットのパケット構成を示しており、１８８バイトのうち先頭の４バイトはパケットヘッダを構成している。パケットヘッダには該当パケットの個別ストリーム(データ列)の属性を示すＰＩＤ(Packet Identification：パケット識別子) が配されている。ＭＰＥＧ２トランスポートパケットのペイロード(データ部)には、周知のように図４にパケット構成を示すＰＥＳ(Packetized Elementary Stream)パケットが再分割されて配されるとともに、さらにＭＰＥＧ２システムの中で規定されているＰＳＩ(Program Specific Information：プログラム仕様情報)としてのＰＡＴ(Program Association Table)、ＰＭＴ(Program Map Table)、ＮＩＴ(Network Information Table) 等のテーブル類もセクション形式によって配されている。
【００１７】
ここで、ＰＳＩは簡便な選局操作及びプログラム選択を実現するために必要な情報である。ＰＡＴは各プログラム番号(１６ビット)毎に、そのプログラムを構成するパケットの情報を伝送するＰＭＴのＰＩＤを示すものであり、図５はＰＡＴのテーブル構造を示している。ＰＡＴ自体のＰＩＤとしては、固定的にＰＩＤ＝“０”が割り当てられている。
【００１８】
ＰＳＩの主な内容について説明する。テーブルＩＤは、テーブルの種別を示すものであって、ＰＡＴでは“０ｘ００”(１６進表記)である。ＴＳ (トランスポート・ストリーム) ＩＤは、ストリーム(多重化された符号化データ)を識別するものであって、衛星の場合はトランスポンダに相当する。バージョン番号は、テーブルの内容が更新される都度加算される。カレント・ネクスト・インジケータは、新旧バージョンを同時に伝送する際の識別に用いられる。プログラム番号は、個々のチャネルを識別するものである。ネットワークＰＩＤは、プログラム番号が“０ｘ００００”の場合に、ＮＩＴのＰＩＤを示すものである。プログラム・マップＰＩＤは、ＰＭＴのＰＩＤを示すものである。
【００１９】
また、ＰＭＴは、各プログラム番号毎に、そのプログラムを構成する映像、音声、付加データ等のストリームが伝送されるパケットのＰＩＤを示すものである。ＰＭＴ自体のＰＩＤは、上述したようにＰＡＴで指定される。図６は、ＰＭＴのテーブル構造を示している。ＰＡＴと重複しない主な内容について説明する。テーブルＩＤは、テーブルの種別を示すものであって、ＰＭＴでは“０ｘ０２”である。ＰＣＲ ＰＩＤ は復号する際の基準となるクロック(PCR: Program Clock Reference)が含まれるパケットのＰＩＤを示すものである。ストリーム・タイプは、映像、音声、付加データ等、ストリームで伝送される信号の種類を示すものである。
【００２０】
また、ＮＩＴは、伝送路に関する物理的な情報、すなわち衛星においては衛星の軌道、偏波、トランスポンダ毎の周波数等を示すものである。ＮＩＴ自体のＰＩＤは、上述したようにＰＡＴで指定される。
【００２１】
図７は、ＮＩＴのテーブル構造を示している。テーブルＩＤは、テーブルの種別を示すものであって、当該ネットワークが“０ｘ４０”、他のネットワークが“０ｘ４１”である。セクション・シンタクス・インジケータは、ＮＩＴが単独セクションで構成されているか、複数のセクションで構成されているかを示す。セクション長は、これ以降の総データ長を表す。ネットワークＩＤは、ネットワークを識別するものである。衛星の場合は個々の衛星に相当する。バージョン番号は、ＮＩＴの内容が変更されたときにインクリメントされる。カレント・ネクスト・インジケータは、そのセクションが現在有効であるかを示す。セクション番号は、現在のセクション番号を示す。最終セクション番号は、１テーブルを構成する複数セクションの最後の番号を示す。ネットワーク・ディスクリプタ長は、この直後のループのデータ長を示す。ＴＳループ長は、この直後に存在するＴＳループのデータ長を示す。ＴＳＩＤは、ＴＳの識別コードであり、衛星方法の場合は１トランスポンダ分(２７ＭＨｚ帯)、ＣＡＴＶでは１チャンネル (６ＭＨｚ帯) に対応する。オリジナルネットワークＩＤは、あるデジタル放送信号が他のネットワークからの再送である場合、起源となるネットワークＩＤを表す。ＴＳディスクリプタ長は、この直後から記述されている複数のＴＳディスクリプタの総データ長を示す。
【００２２】
さらに、ＮＩＴの一部として重要な役割を果たすＴＳディスクリプタについて説明する。
【００２３】
まず、サテライト・デリバリー・システム・ディスクリプタを説明する。このディスクリプタは、デジタル衛星放送でのＮＩＴで用いられるものである。
【００２４】
図８は、サテライト・デリバリー・システム・ディスクリプタの構造を示している。ディスクリプタ・タグは、ＤＶＢで規定されており、ディスクリプタの種別を示すものである。このディスクリプタでは、“０ｘ４３”となる。周波数は、ストリーム（衛星はトランスポンダ）毎の伝送周波数を示すものである。軌道／西経・東経フラグ／偏波は、衛星の軌道、偏波を示すものである。変調／シンボル・レート／内側誤り訂正符号化率は、伝送方式に関する仕様を示すものである。
【００２５】
次に、ケーブル・デリバリー・ディスクリプタについて説明する。このディスクリプタは、デジタルＣＡＴＶシステムに用いられるものである。
【００２６】
図９は、ケーブル・デリバリー・システム・ディスクリプタの構造を示している。ディスクリプタの種別を示すディスクリプタ・タグは、ＤＶＢで規定されており、“０ｘ４４”である。周波数は、ストリーム（ケーブルでは１チャンネル）毎の伝送周波数を示す。ＦＥＣ外符号は、使用されている外符号を表し、通常はリードソロモン(２００，１８８)を表す“００１０”となっている。このサテライト・デリバリー・システム・ディスクリプタにおいて、サテライト・デリバリー・システム・ディスクリプタと同じ部分については、その説明を省略する。
【００２７】
さらに、サービス・リスト・ディスクリプタを説明する。このディスクリプタは、当該ストリーム（衛星では１トランスポンダ、ＣＡＴＶでは１チャンネル）に多重されたサービスのＩＤを示すものである。
【００２８】
図１０は、サービス・リスト・ディスクリプタの構造を示している。ディスクリプタの種別を示すディスクリプタ・タグは、ＤＶＢで規定されており、“０ｘ４１”である。サービスＩＤは、サービスを識別するものである。サービスタイプは、映像、音声、データ等、サービスの内容を示すものである。
【００２９】
図１１は、図１のデジタルＣＡＴＶシステム１０における変調変換送出装置１２の構成を示している。この送出装置１２は、通信衛星２０の第１〜第Ｎのトランスポンダ（衛星中継器）より送られてくるデジタル放送信号の伝送周波数や変調方式等を変更し、さらに、ＮＩＴ内のサテライト・デリバリー・システム・ディスクリプタをケーブル・デリバリー・システム・ディスクリプタに置き換えてＣＡＴＶ用のデジタル放送信号を生成して伝送路１３に送出するものである。
【００３０】
送出装置１２は、マイクロコンピュータを備えてなり、装置全体の動作を制御する制御部３１と、通信衛星２０の第１〜第Ｎのトランスポンダより送られてくるＳＨＦ(Super High Frequency)帯のデジタル放送信号を処理して、ＶＨＦ(Very High Frequency) 帯又はＵＨＦ(Ultra High Frequency)帯のＣＡＴＶ用のデジタル放送信号ＢＳ1 〜ＢＳN を生成する第１〜第Ｎの信号処理部３２-1〜３２-Nと、これらデジタル放送信号ＢＳ1 〜ＢＳN を加算して伝送路１３に送出する加算器３３とを有している。なお、制御部３１には、各信号処理部３２-1〜３２-Nのチューナにおける受信周波数の設定等を行うための操作部３４と、送出装置１２の状態等を表示し、液晶表示器等で構成される表示部３５が接続されている。
【００３１】
表示部３５には、制御部３１で処理される衛星対応ＮＩＴの伝送路に関する情報(サテライト・デリバリー・システム・ディスクリプタ内の情報)や放送されているサービスＩＤ(サービス・リスト・ディスクリプタ内の情報)が衛星に関する情報として表示される。また、制御部３１で生成したケーブル対応ＮＩＴの伝送路に関する情報(ケーブル・デリバリー・システム・ディスクリプタ内の情報)やケーブルに送信されるサービスＩＤが表示される。
【００３２】
信号処理部３２-1は、アンテナ１１で受信されたＳＨＦ帯の複数のデジタル放送信号より、通信衛星２０の第１のトランスポンダより送られてくるデジタル放送信号を選択し、そのデジタル放送信号に対して周波数変換処理を行ってＱＰＳＫ変調信号Ｓ１を得るチューナ４１と、このＱＰＳＫ変調信号Ｓ１を復調してＤＶＢのフレーム構成の信号Ｓ２を得る復調器４２と、この復調器４２より出力されるＤＶＢのフレーム構成の信号Ｓ２に対して誤り訂正を行って、デジタル放送データとしてのＭＰＥＧ２トランスポートパケットＳ３を順次得るＥＣＣ(Error Correction Code) デコーダ４３とを有している。
【００３３】
また、信号処理部３２-1は、ＥＣＣデコーダ４３より順次出力されるＭＰＥＧ２トランスポートパケットＳ３よりＮＩＴを検出するＮＩＴ検出回路４４と、このＮＩＴ検出回路４４で検出されたテーブルＮＩＴａを記憶するメモリ４５と、このメモリ４５に記憶されたテーブルＮＩＴａを制御部３１でＣＡＴＶに適合するように変更して得られたテーブルＮＩＴｂを記憶するメモリ４６とを有している。ＮＩＴ検出回路４４では、固定のＰＩＤに基づいてＮＩＴの検出が行われる。
【００３４】
上記ＮＩＴ検出回路４４で検出されメモリ４５に記憶されたテーブルＮＩＴａは、その内容が制御部３１で分析される。制御部３１によるテーブルＮＩＴａの分析の結果、衛星のトランスポンダ数、伝送周波数、１つのトランスポンダから送信されるトランスポート・ストリームに多重されているサービスについて等の詳細な情報が得られる。
【００３５】
また、制御部３１は、予め配信サービスの行われるＣＡＴＶシステムの情報を保持している。
【００３６】
制御部３１では、衛星のあるトランスポンダをＣＡＴＶのどのチャンネルに送信するか、その中に多重されているサービスのうち、どれをＣＡＴＶに配信するか等を設定情報として保持し、これをもとに衛星用のＮＩＴａをＣＡＴＶ用のＮＩＴｂに変更する。
【００３７】
このとき、何らかの事情で送信されるトランスポンダの数が増減した場合、制御部３１で保持している設定情報とつじつまが合わなくなり、衛星用のＮＩＴａをＣＡＴＶ用のＮＩＴｂに変更することができなくなってしまう。このような場合には、制御部３１は、図１２のフローチャートに示す手順に従って、衛星からのＮＩＴａを再び分析し、以前の設定情報との違い見つけて、例えば図１３の  (Ａ)の衛星−ＣＡＴＶ周波数対応表や図１３の(Ｂ)に示す配信サービス設定表に示すような新たな設定情報を自動的に作り直す。
【００３８】
すなわち、制御部３１は、ＮＩＴを取得して(ステップＳ１)、そのＮＩＴに含まれているバージョン番号が更新されたか否かを判定し(ステップＳ２)、更新された場合には、トランスポンダの数が変化したか否かを判定する(ステップＳ３)。
【００３９】
そして、制御部１は、トランスポンダの数が減少していた場合には送信されたくなったトランスポンダと対応していたケーブルチャンネルに関する設定情報を削除し(ステップＳ４)、上記ケーブルチャンネルに関する設定情報を削除した状態に設定情報を更新する(ステップＳ５)ことで、ＣＡＴＶには配信されないようする。また、トランスポンダの数が増加していた場合には、新たに増えたトランスポンダから送信されるデジタル放送データをＣＡＴＶに配信するために、このデジタル放送データを送信するためのケーブルチャンネルを割り当て (ステップＳ６)、新たな設定情報を作成し、これに基づきＮＩＴの変更を行う(ステップＳ７) 。また、制御部３１は、信号処理部３２-1〜３２-Nのうち予備となっているものを設定情報をもとに正常に動作するようにインターフェース４７を介して制御する (ステップＳ８) 。そして、制御部３１は、トランスポンダの数が増加していた場合で新たに増えたトランスポンダから送信されるデジタル放送データをＣＡＴＶに配信しない場合は、これをもとに設定情報の更新、ＮＩＴの変更を行う(ステップＳ９)。
【００４０】
また、制御部１は、あるトランスポンダから送信されてくるトランスポート・ストリームの中に多重されているサービスが増減した場合も、上記トランスポンダの数が増減した場合と同様自動的に設定情報を更新し、これをもとにＮＩＴの変更を行う。
【００４１】
上述したように通信衛星２０に係るデジタル放送データにおけるＮＩＴのテーブル構造は図７に示すようになっているため、ＮＩＴ検出回路４４で検出されるテーブルＮＩＴａのテーブル構造も同様である。制御部３１では、テーブルＮＩＴｂを得るに当たって、テーブルＮＩＴａにおけるサテライト・デリバリー・システム・ディスクリプタが、ケーブル・デリバリー・システム・ディスクリプタに変更される。
【００４２】
メモリ４５，４６の書き込み、読み出しは、制御部３１によりインタフェース４７を介して制御される。上述したチューナ４１の受信周波数も、制御部３１により、インタフェース４７を介して制御される。
【００４３】
また、信号処理部３２-1は、ＥＣＣデコーダ４３より順次出力されるＭＰＥＧ２トランスポートパケットＳ３よりＮＩＴを検出し、そのＮＩＴをメモリ４６に記憶されているテーブルＮＩＴｂに置き換えるＮＩＴ置換回路４８を有している。このＮＩＴ置換回路４８でも、固定のＰＩＤに基づいてＮＩＴの検出が行われる。
【００４４】
また、信号処理部３２-1は、ＮＩＴ置換回路４８でＮＩＴが置き換えられたＭＰＥＧ２トランスポートパケットＳ４に対して、リードソロモン (２０４，１８８) の誤り訂正符号を付加する等してＤＶＢのフレーム構成の信号Ｓ５ (図２Ｂ参照) を得るＥＣＣエンコーダ４９と、このＤＶＢのフレーム構成の信号Ｓ５に６４ＱＡＭ(Quadrature Amplitude Modulation)の変調処理を行う変調器５０と、この変調器５０より出力される６４ＱＡＭ変調信号の周波数を変換してＶＨＦ帯又はＵＨＦ帯のＣＡＴＶ用のデジタル放送信号ＢＳ1 を得る周波数変換器５１とを有している。
【００４５】
なお、信号処理部３２-2〜３２-Nは、それぞれ上述した信号処理部３２-1におけるチューナ４１、復調器４２、ＥＣＣデコーダ４３、インタフェース４７、ＮＩＴ置換回路４８、ＥＣＣエンコーダ４９、変調器５０及び周波数変換器５１を備えた構成とされている。そして、信号処理部３２-2〜３２-NのＮＩＴ置換回路４８では、それぞれ信号処理部３２-1のメモリ４６に記憶されているテーブルＮＩＴｂが使用されてＮＩＴの置き換えが行われる。また、信号処理部３２-2〜３２-Nのチューナでは、それぞれアンテナ１１で受信された複数のデジタル放送信号より通信衛星２０の第２〜第Ｎのトランスポンダより送られてくるデジタル放送信号が選択され、そのデジタル放送信号に対して周波数変換処理が行われてＱＰＳＫ変調信号Ｓ１が得られる。信号処理部３２-2〜３２-Nのチューナの受信周波数は、制御部３１により、インタフェース４７を介して制御される。さらに、信号処理部３２-2〜３２-Nの周波数変換器５１では、デジタル放送信号ＢＳ1 〜ＢＳN の伝送周波数がそれぞれ異なるように周波数変換される。
【００４６】
以上説明したように、このＣＡＴＶシステム１０では、変調変換送出装置１２で、衛星デジタル放送(第１のネットワーク)におけるデジタル放送データとしてのＭＰＥＧ２トランスポートパケットからＮＩＴ検出回路４４でＮＩＴａを検出し、上記ＮＩＴ検出回路４４で検出される上記ＮＩＴａの少なくとも伝送周波数情報をＣＡＴＶ(第２のネットワーク)に適合するＮＩＴｂを制御部３１により得て、衛星デジタル放送におけるデジタル放送データとしてのＭＰＥＧ２トランスポートパケットのＮＩＴａをＮＩＴ置換回路４８によりＮＩＴｂに置き換えて、ＣＡＴＶにおけるデジタル放送データとしてのＭＰＥＧ２トランスポートパケットを得るようにしているので、通信衛星２０を介して供給されるデジタル多チャネル放送番組をＣＡＴＶで配信サービスすることができる。
【００４７】
また、通信衛星２０からのデジタル放送が何らかの事情等で変更された場合でも、上記制御部３１により、上記ＮＩＴ検出回路４４で検出される上記ＮＩＴａを分析することで、その変更内容を読み取り、自動的に設定情報を更新することで、ＮＩＴの変更を新たな設定情報を元に行い、ＮＩＴ置換回路４８でＮＩＴｂに置き換えを行うことで新たなデジタル放送データをＣＡＴＶシステムへ配信サービスすることができる。
【００４８】
【発明の効果】
以上のように、本発明によれば、第１のネットワークのネットワーク・インフォメーション・テーブルを分析し、以前分析したネットワーク・インフォメーション・テーブルの内容と比較して変更があった場合には、自動的に設定情報を更新し、更新した設定情報をもとにネットワーク・インフォメーション・テーブルを変更し、デジタル放送データのネットワーク・インフォメーション・テーブルを第２のネットワークの新たなネットワーク・インフォメーション・テーブルに置き換えるので、第１のネットワークでの変更を自動的に第２のネットワークに反映することができる。
【図面の簡単な説明】
【図１】本発明を適用したデジタルＣＡＴＶシステムの構成を示すブロック図である。
【図２】ＭＰＥＧ２トランスポートパケットとＤＶＢシステムのフレーム構成を示す図である。
【図３】ＭＰＥＧ２トランスポートパケットのパケット構造を示す図である。
【図４】ＰＥＳパケットのパケット構造を示す図である。
【図５】プログラム・アソシエーション・テーブル（ＰＡＴ）のテーブル構造を示す図である。
【図６】プログラム・マップ・テーブル（ＰＭＴ）のテーブル構造を示す図である。
【図７】ネットワーク・インフォメーション・テーブル（ＮＩＴ）のテーブル構造を示す図である。
【図８】ＮＩＴにおけるサテライト・デリバリー・システム・ディスクリプタの構造を示す図である。
【図９】ＮＩＴにおけるケーブル・デリバリー・システム・ディスクリプタの構造を示す図である。
【図１０】ＮＩＴにおけるサービス・リスト・ディスクリプタの構造を示す図である。
【図１１】デジタルＣＡＴＶシステムを構成する変調変換送出装置の構成を示すブロック図である。
【図１２】上記変調変換送出装置の制御部によるＮＩＴの分析及び設定処理を示すフローチャートである。
【図１３】上記制御部によりＮＩＴに設定される衛星周波数とＣＡＴＶ周波数との対応及び配信サービスの内容の一例を示す図である。
【符号の説明】
１  ＣＡＴＶシステム、１１  アンテナ、１２  変調変換送出装置、１３  ＣＡＴＶの伝送路、１４，１４-1〜１４-m  セット・トップ・ボックス、１５-1〜１５-m  モニタ、２０  通信衛星、３１  制御部、３２-1〜３２-N  信号処理部、３３  加算器、３４  操作部、３５  表示部、４１  チューナ、４２  復調器、４３  ＥＣＣデコーダ、４４  ＮＩＴ検出回路、４５，４６  メモリ、４７  インタフェース、４８  ＮＩＴ置換回路、４９  ＥＣＣエンコーダ、５０  変調器、５１  周波数変換器
【図１】
0004099559.tif 000002
【図２】
0004099559.tif 000003
【図３】
0004099559.tif 000004
【図４】
0004099559.tif 000005
【図５】
0004099559.tif 000006
【図６】
0004099559.tif 000007
【図７】
0004099559.tif 000008
【図８】
0004099559.tif 000009
【図９】
0004099559.tif 000010
【図１０】
0004099559.tif 000011
【図１１】
0004099559.tif 000012
【図１２】
0004099559.tif 000013
【図１３】
0004099559.tif 000014